(57)【要約】      （修正有）【課題】金庫扉を開閉するために必要な支持部の占有スペースを小さくする。【解決手段】筺体２の開口部９の一方の側端の内側には、筺体から突設した係止ピン１５を設け、他方の側端の内側にはロック部２０ｂが形成されたロック板２０を取り付ける。開口部の上端の内側には、開口部の開口面と直交する方向に延在し切欠き１６ｄを設けた係合板１６を取り付ける。金庫扉１０の一方の側端には係止ピンが遊挿される遊挿孔２４ａを有する被支持板２４を設け、他方の側部にはロック部に係止される係止板３０ａ，３０ｂを設ける。錠前を鍵によって回動操作し、ロック部と係止板との係止を解除し、係止ピンに係止された被支持板を支点として金庫扉を回動させ開く。次いで、金庫扉を矢印Ａ方向に移動させ、係止ピンと被支持板との係止を解除し、金庫扉の突子２６が係合板の切欠きを通過することにより、金庫扉が筺体から取り外され、開口部が開放される。【選択図】図４
2006132253.tif 000002
【特許請求の範囲】
【請求項１】
筺体に形成した開口部を開閉する金庫扉の開閉構造であって、前記金庫扉の両側をそれぞれ係止し金庫扉の開口部からの取り外しを規制する一対の係止手段と、これら係止手段の一方の係止を解除する施錠手段と、この施錠手段によって前記係止手段の一方の係止を解除することにより金庫扉の開口部からの脱落を規制する脱落規制手段とを備えたことを特徴とする金庫扉の開閉構造。
【請求項２】
請求項１記載の金庫扉の開閉構造において、前記係止手段の他方を、前記開口部の側部の内側に開口部の開口面と平行に突出した係止ピンと、前記扉の側端に扉と直交し前記係止ピンが遊挿される遊挿孔を備えた被支持板とによって構成し、前記脱落規制手段を、開口部の上下部の少なくともいずれか一方の内側に設けられた係合片と、前記扉の上下端の少なくともいずれか一方の内側に設けられ前記係合片に係合する係合突子とによって構成し、前記係合片に、前記係止ピンと前記被支持板の遊挿孔との係止を解除することにより前記係合突子との係合を解除する解除部を設けたことを特徴とする金庫扉の開閉構造。
【請求項３】
請求項１または２記載の金庫扉の開閉構造において、前記係合片を前記開口部の上部側に設け、開口部の下部側に係合片に対向する載置板を設け、前記扉の下端側に前記載置板に載置される被載置部を設けたことを特徴とする金庫扉の開閉構造。
【発明の詳細な説明】
【技術分野】
【０００１】
本発明は、公衆電話機または自動販売機等に設けられる金庫扉の開閉構造に関するものである。
【背景技術】
【０００２】
一般に、この種の装置に設けられる金庫扉の開閉構造においては、扉を破壊し金庫の盗難を防止するために、高い密閉性と破壊防止のための対策が要求され、開閉部のヒンジ部分を扉の内側に設けたいわゆる内ヒンジタイプの隠し蝶番による開閉構造が採用されている。すなわち、従来の金庫扉の開閉構造としては、筺体の開口部を開閉する扉を備え、筺体に設けた固定体の長穴内に係入する軸体を扉側に軸支し、軸体を長孔内で移動させて扉をスライドさせたのち、軸体を中心として回動させることにより扉を開くものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開平１０−１１０５６８号公報（段落「００２７」〜「００２９」、図１ないし図５）
【発明の開示】
【発明が解決しようとする課題】
【０００３】
しかしながら、上述した従来の金庫扉の開閉構造においては、上下方向に延在する軸体を長穴内で移動させる構造であるため、蝶番を取り付けるために上下方向および左右方向において広いスペースを確保する必要があり、限られたスペースに蝶番を収容することができないといった問題があった。また、金庫扉をスライドさせる構造と回動させる構造とが必要になり、部品点数が増加するばかりではなく構造も複雑になるという問題もあった。
【０００４】
本発明は上記した従来の問題に鑑みなされたものであり、その目的とするところは、金庫扉を開閉するために必要な支持部の占有スペースを小さくするとともに構造を簡素化することにある。
【課題を解決するための手段】
【０００５】
この目的を達成するために、請求項１に係る発明は、筺体に形成した開口部を開閉する金庫扉の開閉構造であって、前記金庫扉の両側をそれぞれ係止し金庫扉の開口部からの取り外しを規制する一対の係止手段と、これら係止手段の一方の係止を解除する施錠手段と、この施錠手段によって前記係止手段の一方の係止を解除することにより金庫扉の開口部からの脱落を規制する脱落規制手段とを備えたものである。
【０００６】
請求項２に係る発明は、請求項１に係る発明において、前記係止手段の他方を、前記開口部の側部の内側に開口部の開口面と平行に突出した係止ピンと、前記扉の側端に扉と直交し前記係止ピンが遊挿される遊挿孔を備えた被支持板とによって構成し、前記脱落規制手段を、開口部の上下部の少なくともいずれか一方の内側に設けられた係合片と、前記扉の上下端の少なくともいずれか一方の内側に設けられ前記係合片に係合する係合突子とによって構成し、前記係合片に、前記係止ピンと前記被支持板の遊挿孔との係止を解除することにより前記係合突子との係合を解除する解除部を設けたものである。
【０００７】
請求項３に係る発明は、請求項１または２に係る発明において、前記係合片を前記開口部の上部側に設け、開口部の下部側に係合片に対向する載置板を設け、前記扉の下端側に前記載置板に載置される被載置部を設けたものである。
【発明の効果】
【０００８】
請求項１に係る発明によれば、脱落規制手段を設けたことにより金庫扉を筺体から取り外す際に誤って金庫扉を落下させるようなことがないため、金庫扉の損傷等を防止することができる。
【０００９】
請求項２に係る発明によれば、筺体側に設けた係止ピンを筺体の開口部の側部に設け、係合片を開口部の上下部のいずれか一方に設けたことにより、筺体内でこれらの部材が占有するスペースが小さくなる。
【００１０】
請求項３に係る発明によれば、金庫扉を開口部から開く際および金庫扉を閉じる際に、金庫扉を一時的に載置板上に載置することができるため作業者の負担が軽減される。
【発明を実施するための最良の形態】
【００１１】
以下、本発明の実施の形態を図に基づいて説明する。図１は本発明に係る金庫扉の開閉構造を適用した公衆電話機の正面図、図２は同じく要部の右半分を断面して示す正面図、図３は図２におけるIII-III 線断面図、図４は図２におけるIV-IV 線断面図であって、同図（Ａ）は金庫扉によって開口部を閉じた状態を示し、同図（Ｂ）は金庫扉を開いた状態を示す。図５は図２におけるIV-IV 線断面図であって、同図（Ａ）は金庫扉を移動させ係合突子を係合板の解除部に対向させた状態を示し、同図（Ｂ）は金庫扉を筺体から取り外した状態を示す。
【００１２】
図１に全体を符号１で示す公衆電話機は、略密閉状態で箱状に形成された筺体２と、この筺体２の側部にハンガーを介して掛けられた送受話器３とを備えている。筺体２の前面板の上部側には、硬貨を投入する硬貨投入口４、ダイヤルボタン５、表示器６、カードを挿入するカード挿入口７、挿入されたカードを返却するカード返却口８とが設けられている。また、筺体２の前面板の下部側には、長方形に形成された開口部９が設けられており、この開口部９は金庫扉１０によって開閉され、この金庫扉１０には錠前１１と硬貨返却口１２とが設けられている。
【００１３】
図２において、１５，１５は係止ピンであって、筺体２の側部の内側から開口部９に向かって開口部９の開口面と平行となるように矢印Ａ方向に突設されており、図４に示すように、基端部が大径状に形成され中央部に段部１５ａが形成されている。１６は係合片であって、図３に示すように、一方の端部が断面クランク状に折曲形成され、凹部１７と、係合片１６と直交する方向に延在する折曲部１８とが設けられている。
【００１４】
この係合片１６は、筺体２の開口部９の上部であって矢印Ｂ方向の端部に臨むように折曲部１８が筺体２の内側に取り付けられている。この係合片１６は、図４に示すように、金庫扉１０の後述する係合突子２６が係合する矢印Ｃ−Ｄ方向に延在する第１の係合部１６ａおよびこの第１の係合部１６ａに連設された傾斜部１６ｂならびにこの傾斜部１６ｂに連設され矢印Ａ−Ｂ方向に延在する第２の係合部１６ｃと、この第２の係合部１６ｃの矢印Ａ方向の端部に設けられ係合突子２６との係合が解除される解除部としての切欠部１６ｄとによって形成されている。
【００１５】
図３において、１９は金庫扉１０の後述する被載置部２７を載置する断面がコ字状に形成された載置板であって、図２に示すように係合片１６に対向して筺体２の開口部９の下部であって矢印Ｂ方向の端部に臨むように筺体２の内側に取り付けられている。図２において、２０は逆コ字状に形成されたロック板であって、筺体２の開口部９の周囲の矢印Ａ方向の半分を囲むように筺体２の内側に取り付けられており、このロック板２０の開口部９側の端部は、図４に示すように断面クランク状に折曲形成され、凹部２０ａとロック板２０と直交する方向（矢印Ｃ方向）に延在するロック部２０ｂとが設けられている。
【００１６】
図３において、２３は金庫扉１０の内側に取り付けられたブラケットであって、矢印Ｂ方向の端部に開口部９の開口面と直交する被支持板としての被支持部２４が矢印Ｃ方向に向かって折曲形成されており、この被支持部２４は図２に示すように、金庫扉１０の矢印Ｂ方向の端面からわずかにＢ方向に突出するように位置付けられている。また、この被支持部２４には、上記した係止ピン１５，１５よりもわずかに大きい口径であって、係止ピン１５，１５が遊挿される遊挿孔２４ａ，２４ａが設けられている。
【００１７】
図２において、ブラケット２３の金庫扉１０の上端部であって矢印Ｂ方向側には、図３に示すように開口部９の開口面と直交する折曲部２５が矢印Ｃ方向に向かって折曲形成されており、この折曲部２５には係合突子２６が植設されている。図２において、ブラケット２３の金庫扉１０の下端部であって矢印Ｂ方向側には、図３に示すように、開口部９の開口面と直交し、上記した載置板１９上に載置される被載置部２７が矢印Ｃ方向に向かって折曲形成されている。
【００１８】
図２において、３０ａ，３０ｂ，３０ｃは軸３１を介して金庫扉１０の内側に回動自在に支持された係止板であって、上記した錠前１１を鍵によって回動操作することにより、連動して時計方向または反時計方向に回動する。図４において、３２は３枚の係止板３０ａ，３０ｂ，３０ｃを覆う箱状に形成されたカバーであって、３つの囲い壁に係止板３０ａ，３０ｂ，３０ｃが突出する窓３３が設けられている。
【００１９】
このように構成されていることにより、図４（Ａ）に示すように、ブラケット２３の被支持部２４の遊挿孔２４ａ，２４ａに係止ピン１５を遊挿し、筺体２の開口部９に金庫扉１０を閉じた状態で、錠前１１を図２において時計方向に回動操作すると、係止板３０ａ，３０ｂ，３０ｃが軸３１を中心として時計方向に回動し、カバー３２の窓３３から外側に突出する。この突出した係止板３０ａ，３０ｂ，３０ｃの先端部は、図４に示すようにロック板２０のロック部２０bに係止され、金庫扉１０の一端側の開口部９からの取り外しを規制する。これら係止板３０ａ，３０ｂ，３０ｃとロック板２０のロック部２０bとが、金庫扉１０の開口部９からの取り外しを規制する一方の係止手段を構成している。また、ブラケット２３の被支持部２４の遊挿孔２４ａ，２４ａと係止ピン１５とが、金庫扉１０の開口部９からの取り外しを規制する他方の係止手段を構成している。
【００２０】
次に、上記のように構成された金庫扉の開閉構造における金庫扉の開閉動作について、主に図４および図５を用いて説明する。先ず、図４（Ａ）に示す金庫扉を閉じた状態から開く動作について説明する。図２において、錠前１１を鍵によって反時計方向に回動操作することにより、３枚の係止板３０ａ，３０ｂ，３０ｃを軸３１を中心として反時計方向に回動させ、これら係止板３０ａ，３０ｂ，３０ｃの先端部をカバー３２の窓３３からカバー３２内に後退させる。
【００２１】
したがって、係止板３０ａ，３０ｂ，３０ｃとロック板２０のロック部２０bとの係止が解除されるため、同図（Ｂ）に示すように、扉１０の矢印Ａ側の端部を開口部９から離間させると、係止ピン１５に被支持部２４の遊挿孔２４ａが係止されているから、金庫扉１０は被支持部２４を中心として反時計方向に回動し開口部９の一部が開く。このとき、金庫扉１０の係合突子２６が係合片１６の第２の係合部１６ｃに係合するため、金庫扉１０の開口部９からの脱落が規制される。このため、誤って金庫扉１０を落下させることがないため、金庫扉１０の損傷等を防止することができる。また、このとき、金庫扉１０の被載置部２７が筺体２の載置板１９上に一時的に載置されているため、金庫扉１０の重量を載置板１９によって支えていることになるから作業者の負担が軽減される。したがって、ここでは係合突子２６と係合片１６とが金庫扉１０の開口部９からの脱落を規制する脱落規制手段を構成していることになる。
【００２２】
次いで、金庫扉１０を矢印Ａ方向へ移動させ、図５（Ａ）に示すように、係止ピン１５から被支持部２４の遊挿孔２４ａの係止を解除するとともに、係合突子２６を係合片１６の切欠部１６ｄに対向させる。この状態から、同図（Ｂ）に示すように、金庫扉１０を矢印Ｄ方向に移動させることにより、係合突子２６が切欠き１６ｄを通過するので、金庫扉１０を筺体２から取り外すことができる。
【００２３】
このように、金庫扉１０を筺体２から取り外すことができるため、従来のように開口部を開放しても金庫扉１０が筺体に取り付けられている場合と比較して、金庫の出し入れ時に金庫扉１０が邪魔することがないため作業性が向上する。また、筺体側には、開口部９の側端の内側に係止ピン１５が設けられ、開口部９の上端に開口部９の開口面と直交する方向に係合片１６が突設されているだけの構造であるため、筺体２内におけるこれら係止ピン１５と係合片１６との占有スペースが小さくなる。
【００２４】
次に、金庫扉によって筺体の開口部を閉じる動作を説明する。図５（Ｂ）に示すように、金庫扉１０の係合突子２６を係合片１６の切欠部１６ｄに対向させ、同図（Ａ）に示すように、係合突子２６が切欠部１６ｄを通過するように金庫扉１０を矢印Ｃ方向へ移動させる。この状態で、金庫扉１０の被載置部２７の一部が筺体２の載置板１９上に載置されるから、載置板１９上で金庫扉１０を矢印Ｂ方向へ移動させると、図４（Ｂ）に示すように、係合突子２６が係合片１６の第２の係合部１６ｃに案内され、被支持部２４の遊挿孔２４ａに係止ピン１５の先端部が係入される。このように、金庫扉１０を載置する載置板１９が設けられているため、金庫扉１０の重量を載置板１９によって支えることができるから作業者の負担が軽減されるとともに、係合突子２６を案内する係合片１６が設けられているため、取付けの作業を容易かつ短時間で行うことができる。
【００２５】
さらに、金庫扉１０を、係止ピン１５に係入された被支持部２４を中心として時計方向に回動させると、係合突子２６が係合片１６の傾斜部１６ｂに案内されて第１の係合部１６ａに係合する。この状態で、同図（Ａ）に示すように、被支持部２４が係止ピン１５の段部１５ａに当接し、金庫扉１０の矢印Ａ方向の端部がロック板２０の凹部２０ａに嵌合し、筺体２の開口部９はこの金庫扉１０によって閉じられる。
【００２６】
図２において、錠前１１を鍵によって時計方向に回動操作することにより、係止板３０ａ，３０ｂ，３０ｃが軸３１を中心として時計方向に回動し、図４（Ａ）に示すように、カバー３２の窓３３から係止板３０ａ，３０ｂ，３０ｃの先端部が突出してロック部２０ｂの端面と係合する。したがって、金庫扉１０は、矢印Ａ方向側を係止板３０ａ，３０ｂ，３０ｃとロック板２０のロック部２０bとで係止され、矢印Ｂ方向の端部を係止ピン１５と被支持部２４とで係止され、開口部９を閉じた状態で筺体２に取り付けられる。
【図面の簡単な説明】
【００２７】
【図１】本発明に係る金庫扉の開閉構造を適用した公衆電話機の正面図である。
【図２】本発明に係る金庫扉の開閉構造を適用した公衆電話機において要部の右半分を断面して示す正面図である。
【図３】図２におけるIII-III 線断面図である。
【図４】図２におけるIV-IV 線断面図であって、同図（Ａ）は金庫扉によって開口部を閉じた状態を示し、同図（Ｂ）は金庫扉を開いた状態を示す。
【図５】図２におけるIV-IV 線断面図であって、同図（Ａ）は金庫扉を移動させ係合突子を係合板の解除部に対向させた状態を示し、同図（Ｂ）は金庫扉を筺体から取り外した状態を示す。
【符号の説明】
【００２８】
１…公衆電話機、２…筺体、９…開口部、１０…金庫扉、１１…錠前、１５…係止ピン、１６…係合板、１６ｄ…切欠き、１９…載置板、２０…ロック板、２０ｂ…ロック部、２４…被支持板、２４ａ…遊挿孔、２６…係合突子、２７…被載置部、３０ａないし３０ｃ…係止板。
【図１】
2006132253.tif 000003
【図２】
2006132253.tif 000004
【図３】
2006132253.tif 000005
【図４】
2006132253.tif 000006
【図５】
2006132253.tif 000007